(57)【要約】【課題】  カムコーダに無線端末の機能を付加し、蓄積された画像音声データを自動的に外部のファイルサーバへ転送することにより、カムコーダの内部メモリを確保でき、動画を取り込む場合であっても小型軽量化が可能な画像音声蓄積装置を提供する。【解決手段】  事前に登録した無線サービスエリア１０２に入ったことが検出された時に撮影済みの画像・音声データを事前に登録したファイルサーバ１１０に転送し、無線サービスエリアから外れたことが検出された時には画像・音声データの転送を中断し、再度同一又は別の事前に登録した無線サービスエリアに入ったことが検出された時には前回転送した画像・音声データの残りのデータの転送を継続する。【選択図】        図１
2005341259.tif 000002
【特許請求の範囲】
【請求項１】
事前に登録した無線サービスエリアに入ったことを検出する手段と、前記検出手段により事前に登録した無線サービスエリアに入ったことが検出された時に撮影済みの画像・音声データを事前に登録したファイルサーバに転送する手段と、前記検出手段により無線サービスエリアから外れたことが検出された時に前記画像・音声データの転送を中断する手段と、前記検出手段により再度同一又は別の事前に登録した無線サービスエリアに入ったことが検出された時に前回転送した画像・音声データの残りのデータの転送を継続する手段とを備えたことを特徴とする画像音声蓄積装置。
【請求項２】
前記ファイルサーバに所定量の画像・音声データの転送を正常に行うことができた場合には、蓄積媒体の既アップロード部分に再度、別の音声・画像データを記録することを特徴とする請求項１に記載の画像音声蓄積装置。
【請求項３】
電池残量が予め設定された電池容量よりも少ない場合には、事前に登録した無線サービスエリアに入った時点でファイルサーバへの転送は行わない旨を操作者に報知することを特徴とする請求項１〜２のいずれか１項に記載の画像音声蓄積装置。
【請求項４】
前記画像・音声データの転送はファイル単位で行われ、前記ファイルサーバは画像・音声データの転送が中断された場合には、転送がファイルの途中であっても転送済みのデータを一つのファイルとして保存することを特徴とする請求項１〜３のいずれか１項に記載の画像音声蓄積装置。
【請求項５】
前記画像・音声データの転送が一つのファイルの途中で中断された場合、転送再開時には前記ファイルサーバ内で転送データが中断されたファイルの末尾に追加して行うことを特徴とする請求項１〜４のいずれか１項に記載の画像音声蓄積装置。
【請求項６】
無線機能は、ＩＥＥＥ８０２．１１で規定される無線ＬＡＮであることを特徴とする請求項１〜５のいずれか１項に記載の画像音声蓄積装置。
【発明の詳細な説明】
【技術分野】
【０００１】
本発明は、撮影済みの画像データや音声データを予め登録したファイルサーバに転送する画像音声蓄積装置に関するものである。
【背景技術】
【０００２】
近年、フラッシュメモリを用いたカムコーダ（カメラ付きレコーダ）や、動画記録機能付きデジタルカメラも出てきて旅行等に携行するのが楽になってきた。しかしながら、動画を取り込むことを考えると、まだまだフラッシュメモリは高価で大量に使用する訳には行かないのが実情である。また、特開２００１−１９７４２９号公報には、撮影した画像をインタネット経由でサーバに簡便に送り、メモリカードの空き容量を増やす技術が開示されている（特許文献１）。
【特許文献１】特開２００１−１９７４２９号公報
【発明の開示】
【発明が解決しようとする課題】
【０００３】
上述のように動画を取り込むことを考えると、フラッシュメモリは高価であるので大量に使用できず、カムコーダを小型軽量化するには限界があった。また、特許文献１に記載された方法では、自分で送る画像を指定し、サーバへアップロード可能な場所を探さなければならないという煩わしさがあった。
【０００４】
本発明は、上記従来の事情に鑑みなされたもので、その目的は、カムコーダに無線端末の機能を付加し、蓄積された画像音声データを自動的に外部のファイルサーバへ転送することにより、カムコーダの内部メモリを確保でき、動画を取り込む場合であっても小型軽量化が可能な画像音声蓄積装置を提供することにある。
【課題を解決するための手段】
【０００５】
本発明は、上記目的を達成するため、事前に登録した無線サービスエリアに入ったことを検出する手段と、前記検出手段により事前に登録した無線サービスエリアに入ったことが検出された時に撮影済みの画像・音声データを事前に登録したファイルサーバに転送する手段と、前記検出手段により無線サービスエリアから外れたことが検出された時に前記画像・音声データの転送を中断する手段と、前記検出手段により再度同一又は別の事前に登録した無線サービスエリアに入ったことが検出された時に前回転送した画像・音声データの残りのデータの転送を継続する手段とを備えたことを特徴とする。
【発明の効果】
【０００６】
本発明によれば、所定の無線アクセスポイントのサービスエリアに入ると、それを自動的に検知し、事前に設定登録したファイルサーバに蓄積画像音声データを送信することにより、カムコーダ側の画像音声蓄積メモリを開放できるので、動画を取り込む場合であっても大量のフラッシュメモリを必要とせず、カムコーダの小型軽量化を実現できる。また、移動しながら画像音声データのアップロードを行うことができ、更には、転送が一つのファイルの途中で中断されても再開時に繋げて一つのファイルにすることができる。
【発明を実施するための最良の形態】
【０００７】
次に、発明を実施するための最良の形態について図面を参照して詳細に説明する。なお、以下の実施形態では無線機能として無線ＬＡＮを用いた場合を例にとって説明する。
【０００８】
図１は本実施形態によるシステムの概要を示す図である。図１において、１０１は無線ＬＡＮ付きカムコーダ、１０２は無線ＬＡＮサービスエリア、１０３は無線ＬＡＮルータ、１０５はイーサネット（登録商標）ケーブルである。また、１０６は回線終端装置であり、別名メディアコンバータとも呼ばれ、光ファイバーの信号をイーサネットと相互変換する装置である。更に、１０７は光ファイバー、１０８は回線終端装置、１０９はインターネット、１１０は画像音声情報を蓄積するファイルサーバである。
【０００９】
図２は本実施形態による無線ＬＡＮ付きカムコーダ１０１の構成を示すブロック図である。無線ＬＡＮ付きカムコーダ１０１はカメラ部４０、制御部４１、表示部４２、蓄積部４３から構成されている。カメラ部４０は、レンズ部４０１、絞り４０２、ＣＣＤ４０３、カメラ信号処理部４０４、ＡＤＣ（Ａ／Ｄコンバータ）４０５等を含んでいる。
【００１０】
制御部４１はカメラ制御部４１１、システム制御部４１２、蓄積制御部４１３、無線ＬＡＮ４１４等から構成され、表示部４２はＬＣＤドライバー４２１、ＤＡＣ（Ｄ／Ａコンバータ）４２３、ＬＣＤ（液晶パネル）４２４、無線ＬＡＮアンテナ４１５等から構成されている。蓄積部４３はＣＯＤＥＣ４３１、メモリ４３２等を含んでいる。
【００１１】
本実施形態では、無線ＬＡＮ付きカムコーダ１０１がアクセスポイントの無線サービスエリア１０２に入るのを検知すると、自動的に無線ＬＡＮルータ１０３に接続し、記録済みの画像音声データをファイルサーバ１１０まで転送する。また、カムコーダ１０１が無線サービスエリア１０２から外れると、画像音声データの転送を中断し、その後、カムコーダ１０１が再び同一の無線サービスエリア又は他の事前に登録した無線サービスエリアに入ると、残りの画像音声データのファイルサーバ１１０への転送を継続する。その手順を図３の状態遷移図を参照して説明する。ここで、リードポインターは次に読み出し転送する部分を指すポインター、ライトポインターは次に画像音声データを書き込む部分を指すポインターを示す。
【００１２】
（１）事前準備
まず、事前に自分の画像音声データを転送したいファイルサーバ１１０を管理するＩＳＰ(インターネットサービスプロバイダ)と契約し、ファイルサーバのドメイン名（もしくはＩＰアドレス）、ポート番号、ユーザＩＤとパスワードをもらう。
【００１３】
無線ＬＡＮには、所望の無線ＬＡＮ電波かを識別するため、所定のＥＳＳＩＤ（Extended Service Set Identifier、ＩＥＥＥ８０２．１１シリーズの無線ＬＡＮにおけるネットワークの識別子の一つで、混信を避けるために付けられるネットワーク名のようなもの。最大３２文字までの英数字を任意に設定できる。）が有るがセキュリティ機能はない。よって、必要に応じてユーザＩＤとパスワード（一般的には上記のファイルサーバのものとは異なる）を設定する。
【００１４】
（２）撮影準備状態（Rec Standby）
カムコーダ１０１の無線ＬＡＮ４１４は始め停止状態になっている。キー４１６中の不図示のカメラモードキーが押下されると、システム制御部４１２はカメラ制御部４１１にRec Standbyの指示を出す。Rec Standbyとは撮影画像をメモリ４３２に記録しないが、構図を取るためＬＣＤ４２４に表示する状態を指す。カメラ制御部４１１はRec Standbyの指示を受けると、ＣＣＤ４０３に電源の供給を開始する。ＣＣＤ４０３から得られた画像情報はカメラ信号処理部４０４、ＡＤＣ４０５を経由して表示部４２のＬＣＤドライバー４２１に導かれ、ＬＣＤ（液晶パネル）４２４上に表示される。
【００１５】
（３）撮影（Rec）
キー４１６にある不図示のＲＥＣボタンが押下され撮影が開始されると、蓄積部４３のＣＯＤＥＣ４３１でＭＰＥＧ２、ＭＰＥＧ４、Ｈ２６４等のアルゴリズムによりデジタル画像が圧縮される。画像を圧縮して生成されたビットストリームはメモリ４３２に記録される。図４はメモリ４３２の状態を示す。０〜４までの部分に圧縮されたビットストリームが書き込まれている。メモリ４３２としては、光ディスク、光磁気ディスク、磁気ディスク或いはフラッシュメモリ等が用いられる。フラッシュメモリを用いた時に既書き込みデータがある場合には、ブロック単位（一般的には、２ＫＢ〜６４ＫＢ程度）での消去が必要になる。
【００１６】
（４）無線ＬＡＮサービスエリアの探索
システム制御部４１２は蓄積制御部４１３に問い合わせ、メモリ４３２に所定量以上の記録済みのデータがある状態、つまり、リードポインターとライトポインターが一致しない状態になると、カムコーダ１０１の無線ＬＡＮ４１４をスタンバイ状態にし、所定のアクセスポイントの無線サービスエリア１０２に入るのを待つ。この時点はＲＥＣ中であっても、ＲＥＣ終了後であっても処理は同一である。
【００１７】
（５）無線ＬＡＮ経由でのファイルサーバ１１０へのログイン（login）
所望のＥＳＳＩＤの無線ＬＡＮサービスエリア１０２に入ったことを、無線ＬＡＮアンテナ４１５経由で無線ＬＡＮ４１４が検知したら、その旨をシステム制御部４１２に割り込み要求等で通知する。システム制御部４１２はカムコーダ１０１の無線ＬＡＮ４１４をアクティブにし、必要に応じて無線ＬＡＮへユーザＩＤとパスワードでログイン（login）し、ファイルサーバ１１０にＴＣＰ／ＩＰで接続する。ここで、操作者に音声やＬＥＤ、ＬＣＤで所望のＥＳＳＩＤの無線ＬＡＮサービスエリア１０２に入ったことを通知するのが望ましい。なお、上述の所望のＥＳＳＩＤの無線ＬＡＮサービスエリア１０２とは、事前に登録した無線ＬＡＮサービスエリアである。
【００１８】
一般的な接続手順を以下に示す。
【００１９】
（５−１）まず、ＤＨＣＰ（Dynamic Host Configuration Protocol）で無線ＬＡＮ付きカムコーダ自身、ゲートウェイ、ＤＮＳ（domain name server）のＩＰアドレスを入手する。
【００２０】
（５−２）ファイルサーバ１１０のドメイン名をＤＮＳに送り、ファイルサーバのＩＰアドレスを得る。既にＩＰアドレスが分かっている場合はこの処理は不要である。
【００２１】
（５−３）これで自分と相手（ファイルサーバ）のＩＰアドレスが分かったので、ファイルサーバ１１０の所定のポートにＴＣＰ／ＩＰのＳＹＮパケットを送り接続する。
【００２２】
（５−４）既にファイルサーバ１１０が受信済みの画像音声ファイルがあれば、そのサイズ、つまり前回の転送でどこまで送ることができたか等の情報を交換する。
【００２３】
（６）画像音声データをファイルサーバ１１０へ転送
蓄積制御部４１３は所定量（一般的には、２ＫＢ〜６４ＫＢ程度）をパケット化してファイルサーバ１１０へ回線終端装置１０６、光ファイバー１０７、光モデム１０８、インターネット１０９等を経由してＴＣＰ／ＩＰプロトコルにより転送する。ここで、（５−４）で得た情報を元に前回の送信でサーバが受信できなかったパケットがある場合には、そこから再度転送を開始する。サーバ側では転送されてくるデータのファイル名が同一であった場合、転送データをそのファイルの末尾に追加する。正常にファイルサーバに転送できたかはＴＣＰ／ＩＰのＡＫＣパケットを受信することで確認することができる。
【００２４】
ここで、ＡＫＣパケットが来たことで確実に転送できたことを確認すると、リードポインターを更新し新しい音声画像データを書き込むことのできる領域とする。図５は所定量の２倍を転送した後のメモリ４３２の状態を示す。
【００２５】
また、無線ＬＡＮ４１４によりカムコーダ１０１が無線ＬＡＮサービスエリア１０２から外れたことが検出され、無線ＬＡＮルータ１０３との通信が途切れた場合には、上述の（４）の処理から繰り返す。この場合、ファイルサーバ側も一定時間カムコーダからのアクセスがない時には通信が途切れたと判断し、転送がファイルの途中であっても転送済みのデータを一つのファイルとして保存する。
【００２６】
（７）転送終了処理
所定量をＴＣＰ／ＩＰパケット化して転送し、ＡＣＸパケットを受信することで正常転送が確認されたら、システム制御部４１２は蓄積制御部４１３にリードポインターを更新させ、それが終了条件である「リードポインターとライトポインターが同一」になっていなければ再度転送を繰り返す。終了条件だったら、もう転送の必要がないので、サーバに接続を切るための終了を示すＦＩＮパケットを送り、サーバからもＦＩＮパケットが送られ、ＴＣＰ／ＩＰの接続を終了する。その後省電力のため無線ＬＡＮ４１４を停止状態にする。その後、（２）の処理から繰り返す。
【００２７】
なお、（５）においてカムコーダの電池残量が所定容量よりも少ない場合には、所望のＥＳＳＩＤの無線ＬＡＮサービスエリア１０２に入った時点で「電池残量が少ないので無線インターフェースサービスエリアに入ったがファイルサーバへのアップロードは行わない」旨を音声（画像音声蓄積中の場合には音声を出すと録音されてしまうのでそれ以外の場合）、ＬＥＤ、ＬＣＤ等で通知し、（５−１）以降の電力消費の大きいデータ転送は行わない。
【００２８】
これにより、操作者は予備の電池に取り替えるとか、必要により所望のＥＳＳＩＤのサービスを行っている無線ＬＡＮサーバを所有する管理者の店舗へ出向き、電源を接続しながらのデータ転送を行い、或いは、電池の充電を行うことも可能である。
【００２９】
また、以上の実施形態では、無線ＬＡＮを用いた場合を例として説明したが、本発明は、BluetoothやIrDAにも容易に応用可能である。更に、インターネット部の構成に光ファイバーを用いているが、ＡＤＳＬやＳＤＳＬでも当然構わない。
【図面の簡単な説明】
【００３０】
【図１】本発明に係るデータ転送システムの一実施形態の構成を示す図である。
【図２】本発明に係るカムコーダの一実施形態の構成を示すブロック図である。
【図３】本発明の動作を説明する状態遷移図である。
【図４】図２のメモリの状態を示す図である。
【図５】所定量の二倍をファイルサーバに転送した後のメモリの状態を示す図である。
【符号の説明】
【００３１】
４０  カメラ部
４１  制御部
４２  表示部
４３  蓄積部
１０１  無線ＬＡＮ付きカムコーダ
１０２  無線ＬＡＮサービスエリア
１０３  無線ＬＡＮルータ
１０５  イーサネットケーブル
１０６  回線終端装置
１０７  光ファイバー
１０８  光モデム
１０９  インターネット
１１０  ファイルサーバ
４０１  レンズ部
４０２  絞り
４０３  ＣＣＤ
４０４  カメラ信号処理回路
４０５  ＡＤＣ
４１１  カメラ制御部
４１２  システム制御部
４１３  蓄積制御部
４１４  無線ＬＡＮ
４１５  無線ＬＡＮアンテナ
４２１  ＬＣＤドライバー
４２４  ＬＣＤ（液晶パネル）
４２３  ＤＡＣ
４３１  ＣＯＤＥＣ
４３２  メモリ
【図１】
2005341259.tif 000003
【図２】
2005341259.tif 000004
【図３】
2005341259.tif 000005
【図４】
2005341259.tif 000006
【図５】
2005341259.tif 000007